(57)【要約】【課題】  異なるサイズの傘の心棒を挿し込んで使用でき、かつ傘の握り部が柔軟で使用者の手に軟らかい触感を与える、傘の心棒の握り部を提供すること。【解決手段】  上下端部には各々１つの環溝があり、前記上下両端部を１つの貫通孔で相通した握り部の主体と、各々１つの相通するねじ穴と通孔とを開設し、前記通孔の上方に位置する前記ねじの穴の直径は前記通孔の直径より大にして、前記心棒の握り部の上下両端を通り、前記貫通孔内で各々の先端部が接触し、各々の通孔も相通ずるように取付けて互いを結合した２つの歯止め部と、中空で上下両端部の周縁には前記握り部の主体の周縁と前記両歯止め部とに抵触、かつ密着するようにフランジを設け、前記主体との間の隙間をシリカゲルにて充填した握り部の軟性ゴム製外套と、各々前記第１と第２歯止め部を覆い、前記ゴム状外套と密着するように抵触する２つのふたとを含むことを特徴とする、傘の心棒の握り部。【選択図】  図１
0003109657.tif 000002
【実用新案登録請求の範囲】
【請求項１】
上下端部には各々１つの環溝があり、前記上下両端部を１つの貫通孔で相通した握り部の主体と、
各々１つの相通するねじ穴と通孔とを開設し、前記通孔の上方に位置する前記ねじの穴の直径は前記通孔の直径より大にして、前記心棒の握り部の上下両端を通り、前記貫通孔内で各々の先端部が接触し、各々の通孔も相通ずるように取付けて互いを結合した２つの歯止め部と、
中空で上下両端部の周縁には前記握り部の主体の周縁と前記両歯止め部とに抵触、かつ密着するようにフランジを設け、前記主体との間の隙間をシリカゲルにて充填した握り部の軟性ゴム製外套と、
各々前記第１と第２歯止め部を覆い、前記ゴム状外套と密着するように抵触する２つのふたとを含むことを特徴とする、
傘の心棒の握り部。
【請求項２】
前記握り部の主体の貫通孔壁面に嵌止槽を形成し、前記両歯止部の止ピンを槽内に嵌止して、前記両歯止め部を固定したことを特徴とする、
請求項1に記載の傘の心棒の握り部。
【請求項３】
前記両歯止め部のねじ穴は、異なる孔径のものを使用することで、各種サイズの心棒が螺合できることを特徴とする、
請求項1に記載の傘の心棒の握り部。
【考案の詳細な説明】
【技術分野】
【０００１】
本考案は傘の心棒の握り部に関するもので、特に柔軟なシリカゲルで使用者の握り部の握り心地を向上し、また、握り部は孔径の異なるねじ穴で各種サイズの心棒が螺合できるようにした、傘の心棒の握り部に関するものである。
【背景技術】
【０００２】
傘の心棒の握り部は折りたたみ式の傘でも、折りたたみ式傘以外でも心棒の握り部は不可欠である。この握り部は心棒の末端に位置し、使用者がこの部分を把握して傘を使用するものである。
【考案の開示】
【考案が解決しようとする課題】
【０００３】
従来の傘の心棒の握り部には次のような問題点がある。
（１）握り部には単一の孔径のねじ穴があるのみで、これに合致するサイズの心棒しか使用できない。
（２）硬質の材料で製作された握り部は、使用者の手に不快感を与える。
【０００４】
本考案は以上の点に鑑みてなされたもので、従来品の欠点を改善し、握り部の両端に孔径の異なるねじ穴を設けて各種サイズの心棒が螺合できる、傘の心棒の握り部を提供することを目的とする。
また、柔軟なシリカゲルで包み、使用者の握り心地を向上させる、傘の心棒の握り部の提供を目的とする。
【課題を解決するための手段】
【０００５】
前記の課題を解決するための手段として本考案は、上下端部には各々１つの環溝があり、前記上下両端部を１つの貫通孔で相通した握り部の主体と、各々１つの相通するねじ穴と通孔とを開設し、前記通孔の上方に位置する前記ねじの穴の直径は前記通孔の直径より大にして、前記心棒の握り部の上下両端を通り、前記貫通孔内で各々の先端部が接触し、各々の通孔も相通ずるように取付けて互いを結合した２つの歯止め部と、中空で上下両端部の周縁には前記握り部の主体の周縁と前記両歯止め部とに抵触、かつ密着するようにフランジを設け、前記主体との間の隙間をシリカゲルにて充填した握り部の軟性ゴム製外套と、各々前記第１と第２歯止め部を覆い、前記ゴム状外套と密着するように抵触する２つのふたとを含む傘の心棒の握り部。
また、前記握り部の主体の貫通孔壁面に嵌止槽を形成し、前記両歯止部の止ピンを槽内に嵌止して、前記両歯止め部を固定した。
また、前記両歯止め部のねじ穴は、異なる孔径のものを使用することで、各種サイズの心棒が螺合できるようにした。
【考案の効果】
【０００６】
本考案による傘の心棒の握り部は従来の傘の心棒の握り部に比べて下記のような利点がある。
（１）握り部の歯止め部のねじ穴の孔径が多種あるので、サイズの異なる傘の心棒に適用できるように工夫されている。
（２）握り部とその外套の間に充填されたシリカゲルにより、握り部の握り心地が向上する。
【考案を実施するための最良の形態】
【０００７】
図１から図３を基に、本考案である傘の心棒の握り部を構成する部品を説明する。
【０００８】
Ｉ字型の握り部の主体１は、１つの貫通孔１１を含む。下両端部の壁面には各々１つに嵌止槽（未図示）が形成され、上下両端部を各々取り囲んだ環溝１２は貫通孔１１と相通ずる。
【０００９】
２本の歯止め部２、３は、その縁に形成したリング２１，３１からテーパー状のＴ形断面を持った支柱２２、３２が一方に伸出し、その根部の反対側には各々少なくとも１つの制止孔２３、３３が開設され、またリング２１、３１付近からは止ピン２４、３４が突き出している。
歯止め部２、３の内部には上下に歯止め部２、３を貫通するねじ穴２５、３５と通孔２６、３６が設けられてあり。前者は後者の上に位置し、前者の孔径は後者のそれよりも大きく、その境界には１つのステップを形成する。
ねじ穴２５と３５の孔径はいろいろと変更してサイズの異なる心棒を螺合できるようにしている。２本の歯止め部２、３を上下相対して主体１の貫通孔１１に挿し込み、貫通孔１１壁面上に形成された嵌止槽に各々の止ピン２４、３４を嵌止して、両歯止め部２、３の底面を接触させ、回動しないようにしっかり拘束する。このとき通孔２６と３６は互いに相通ずる。
【００１０】
締付け器具４には組みになったボルト４１とナット４２とワッシャー４３とが含まれ、通孔２６、３６を利用して締付け、歯止め部２と３を連結する。
【００１１】
軟性ゴム製外套５は中空状をなし、両端部に向かって径を小さくし、フランジ５１を形成し、外套５が傘の握り部の主体１を覆ったとき、フランジ５１が主体１の両端部の周縁と、歯止め部２、３の底縁とに抵触し、握り部の主体１と外套５との間にできた密閉された隙間をシリカゲル６で充填する。
【００１２】
２つのふた７には１本の固定ピン７１があって、ふた７が歯止め部２、３のリング２１、３１上にかぶさったとき、歯止め部２、３の制止孔２３、３３に挿入し、ふた７を歯止め部２、３に固定し、またゴム製外套５を押え込む。
【００１３】
図４と図５は傘の心棒８を歯止め部２、３に取り付ける手順を示すものである。歯止め部２、３のねじ穴２５、３５の孔径はいろいろあって、サイズの異なる傘の心棒８に適用できるように工夫されている。
外套５と主体１の隙間に充填された柔軟なシリカゲルは、傘を握る使用者の手に軟らかい触感を与え、握り心地を向上させる。
【図面の簡単な説明】
【００１４】
【図１】本考案による傘の心棒の握り部の分解説明図
【図２】本考案による傘の心棒の握り部の立体図
【図３】本考案による傘の心棒の握り部の断面図
【図４】傘の心棒を握り部に取付ける手順を示す立体図
【図５】傘の心棒を握り部に取付ける手順を示す断面図
【符号の説明】
【００１５】
１    握り部の主体
１１  貫通孔
１２  環溝
２    歯止め部
２１  リング
２２  支柱
２３  制止孔
２４  止ピン
２５  ねじ穴
２６  通孔
３    歯止め部
３１  リング
３２  支柱
３３  制止孔
３４  止ピン
３５  ねじ穴
３６  通孔
４    締付器具
４１  ボルト
４２  ナット
４３  ワッシャー
５    軟性ゴム製外套
５１  フランジ
６    シリカゲル
７    ふた
７１  固定ピン
８    傘の心棒
【図１】
0003109657.tif 000003
【図２】
0003109657.tif 000004
【図３】
0003109657.tif 000005
【図４】
0003109657.tif 000006
【図５】
0003109657.tif 000007